(57)【要約】【課題】コネクターを有する電装基板と該電装基板のコネクターに対してケーブルを介して後付けで接続されるハードディスクとを収容するための電装ボックスを備えた画像形成装置において、作業者が画像形成装置にハードディスクを追加装着する際に制御基板に意図せず触れてしまうのを防止する。【解決手段】電装ボックス１００は、ハードディスク１１を出し入れするための開口部１２１ｂと、開口部１２１ｂに面してハードディスク１１が収容されるハードディスク収容空間Ｓ１と、電装基板５が収容される基板収容空間Ｓ２と、ハードディスク用空間Ｓ１と基板収容空間Ｓ２とを区画するとともにケーブル１１ｂ，１１ｃを挿通可能な挿通孔１２２ｅが形成された箱状隔壁１２２とを有している。【選択図】図１２
2020166132.tif 000002
【特許請求の範囲】
【請求項１】
コネクターを有する電装基板と該電装基板のコネクターに対してケーブルを介して後付けで接続可能なハードディスクとを収容するための電装ボックスを備えた画像形成装置であって、
上記電装ボックスは、上記ハードディスクを出し入れするための開口部と、上記開口部に面して上記ハードディスクが収容されるハードディスク収容空間と、上記電装基板が収容される基板収容空間と、上記ハードディスク収容空間と上記基板収容空間とを区画するとともに上記ケーブルを挿通可能な挿通孔が形成された隔壁とを有している、画像形成装置。
【請求項２】
請求項１記載の画像形成装置において、
上記電装ボックスは、一側に開放するボックス本体と、上記ボックス本体の開放側を閉塞する蓋部材とを有し、
上記隔壁は上記蓋部材に設けられている、画像形成装置。
【請求項３】
請求項２記載の画像形成装置において、
上記電装基板のコネクターは、上記挿通孔の貫通方向から見て、該挿通孔の周縁の内側又は該周縁の外側近傍に位置している、画像形成装置。
【請求項４】
請求項１乃至３のいずれか一項に記載の画像形成装置において、
上記電装基板のコネクターに対する相手コネクターの差込み方向は、上記挿通孔の貫通方向に一致している、画像形成装置。
【発明の詳細な説明】
【技術分野】
【０００１】
本発明は、画像形成装置に関する。
【背景技術】
【０００２】
従来より、ハードディスクを備えた画像形成装置が知られている（例えば、特許文献１参照）。この画像形成装置では、制御基板とハードディスクとが一つのボックス内に収容されてコネクターを介して互いに接続されている。
【先行技術文献】
【特許文献】
【０００３】
【特許文献１】特開２００４−３４７８９９号公報
【発明の概要】
【発明が解決しようとする課題】
【０００４】
ところで、近年では、ハードディスクをオプション装置として装着可能な画像形成装置が普及しつつある。
【０００５】
この 種の画像形成装置において、特許文献１と同様に制御基板（電装基板）とオプション装置であるハードディスクとを一つのボックス内に収容したとすると、ハードディスクを追加装着する際に作業者が電装基板に意図せず触れてしまう虞がある。したがって、作業のさらなる安全性を確保する観点から改良の余地がある。
【０００６】
本発明は、かかる点に鑑みてなされたものであり、その目的とするところは、作業者が画像形成装置にハードディスクを追加装着する際に電装基板に意図せず触れてしまうのを防止することにある。
【課題を解決するための手段】
【０００７】
本発明に係る画像形成装置は、コネクターを有する電装基板と該電装基板の該コネクターに対してケーブルを介して後付けで接続可能なハードディスクとを収容するための電装ボックスを備えている。
【０００８】
そして、上記電装ボックスは、上記ハードディスクを出し入れするための開口部と、上記開口部に面して上記ハードディスクが収容されるハードディスク収容空間と、上記電装基板が収容される基板収容空間と、上記ハードディスク収容空間と上記基板収容空間とを区画するとともに上記ケーブルを挿通可能な挿通孔が形成された隔壁とを有している。
【発明の効果】
【０００９】
本発明によれば、作業者が画像形成装置にハードディスクを追加装着する際に制御基板に意図せず触れてしまうのを防止することができる。
【図面の簡単な説明】
【００１０】
【図１】図１は、実施形態における画像形成装置を示す、後方斜め左側から見た外観斜視図である。
【図２】図２は、電装基板収容部を示す、後方斜め左側から見た斜視図である。
【図３】図３は、図２のIII−III線断面図である。
【図４】図４は、図２の状態から樹脂カバーを取外した状態を示す斜視図である。
【図５】図５は、図４の状態から板金カバーを取外した状態を示す斜視図であって、ハードディスク収容空間にＨＤＤアッセンブリーが収容されていない状態を示す図である。
【図６】図６は、ハードディスク収容空間にＨＤＤアッセンブリーが収容された状態を示す図５相当図である。
【図７】図７は、ハードディスク収容空間に収容されたＨＤＤアッセンブリーを拡大して示す拡大図である。
【図８】図８は、電装ボックスを示す外観斜視図である。
【図９】図９は、図８に示す電装ボックスをIX−IX線で切断したカットモデルである。
【図１０】図１０は、蓋部材を示す外観斜視図である。
【図１１】図１１は、蓋部材を裏面側から見た外観斜視図である。
【図１２】図１２は、電装ボックスのハードディスク収容空間にＨＤＤアッセンブリーを収容した状態を示す平面図である。
【発明を実施するための形態】
【００１１】
以下、本発明の実施形態を図面に基づいて詳細に説明する。尚、本発明は、以下の実施形態に限定されるものではない。
【００１２】
［全体構成］
図１は、実施形態における画像形成装置１を示している。この画像形成装置１は、外部端末等から受信した画像データを用紙に印刷するプリンターからなる。尚、以下の説明において、前側、後側は、画像形成装置１の前側、後側を意味し、左側、右側は、画像形成装置１を前側から見たときの左側、右側を意味するものとする。
【００１３】
画像形成装置１は、画像形成装置本体２と、画像形成装置本体２の下側に配置された給紙カセット３と、画像形成装置本体２の後側に設けられた電装基板収容部４とを備えている。電装基板収容部４は、後述するように、電装基板類の他にオプション装置としてのハードディスク１１を収容可能に構成されている。
【００１４】
画像形成装置本体２内には、画像データに対応する画像を用紙に印刷する画像形成部（図示省略）が収容されている。画像形成部は、給紙カセット３から供給される用紙に対して例えば電子写真方式により画像を形成する。すなわち、画像形成部は、感光体ドラムの表面に画像データに対応する静電潜像を形成して、形成した静電潜像を現像器にてトナー像として可視化し、このトナー像を用紙に転写して熱定着させることで用紙に画像を形成する。尚、画像形成部における画像形成方式は、電子写真方式に限ったものではなく例えばインクジェット方式等であってもよい。
【００１５】
［電装基板収容部の構成］
図１及び図２に示すように、電装基板収容部４は、左右方向に長い偏平箱状をなしていて、画像形成装置本体２の後側面における右側の上部に設けられている。
【００１６】
図３は、図２のIII-III線断面図である。この図に示すように、電装基板収容部４には、制御基板５を含む複数の電装基板が収容されている。制御基板５は、画像処理制御及び表示制御など画像形成装置１全体の制御を行うための基板であって後述するように電装ボックス１００内に収容されている。図３の例では、制御基板５は、第一基板部５１と第二基板部５２とを接続部５３にて連結して構成されている。接続部５３は、例えば互いに嵌合する所定規格のコネクターにより構成される。
【００１７】
制御基板５以外の電装基板の一例としては、高圧基板やエンジン基板（共に図示省略）が挙げられる。高圧基板は、例えば画像形成部の構成ユニット（例えば感光体ドラムユニット）等に高電圧を供給する。エンジン基板は、例えば搬送系の駆動モーターや冷却ファンの駆動モーターの作動制御を行う。電装ボックス１００は、高圧基板及びエンジン基板の後側に重なるように配置されている。また、電装基板収容部４は、画像形成装置１のオプション装置として後付けされるハードディスク１１を収容可能に構成されている。
【００１８】
図１〜図３に示すように、電装基板収容部４には着脱式の樹脂カバー４ａが装着されている。樹脂カバー４ａは、電装基板収容部４の後側壁に形成された矩形状のメンテナンス開口４ｂを開閉可能に覆っている。樹脂カバー４ａの一端縁には取手４ｃが設けられている。作業者は、この取手４ｃを指で押すことで樹脂カバー４ａの係合爪４ｄ（図３にのみ示す）の係合を解除させて樹脂カバー４ａを取外すことができる。樹脂カバー４ａを取外すと、図４に示すように電装ボックス１００に設けられた板金カバー１２３が露出する。作業者は螺子１２４を緩めて板金カバー１２３を取外すことで、図５に示すように、電装ボックス１００内のハードディスク収容空間Ｓ１にアクセスすることができる。
【００１９】
［ハードディスクの構成］
図６は、このハードディスク収容空間Ｓ１にハードディスク１１を装着した状態を示している。
【００２０】
ハードディスク１１は、外観視が偏平な直方体状をなすハードディスク本体１１ａと、ハードディスク本体１１ａの長手方向の一側端面に接続された第一ケーブル１１ｂ及び第二ケーブル１１ｃとを有している。第一ケーブル１１ｂ及び第二ケーブル１１ｃは、ハードディスク本体１１ａに接続固定されていてもよいし、コネクターを介して着脱可能に接続される別部品であってもよい。
【００２１】
第一ケーブル１１ｂのハードディスク本体１１ａ側とは反対側の端部には、制御基板５上の第一コネクター５４（図６及び図１２参照）に嵌合する相手コネクター（図示省略）が取付けられている。第二ケーブル１１ｃのハードディスク本体１１ａ側とは反対側の端部には、制御基板５上の第二コネクター５５に嵌合する相手コネクター（図示省略）が取付けられている。各ケーブル１１ｂ，１１ｃはＳＣＳＩ規格やＳＡＴＡ規格に対応したものが使用され、第一コネクター５４及び第二コネクター５５はそれぞれ、各ケーブル１１ｂ、１１ｃの規格に対応したものが使用される。
【００２２】
そして、ハードディスク１１は、保持部材１２に保持されてハードディスクアッセンブリ（以下、ＨＤＤアッセンブリーという）１０を構成した状態で、ハードディスク収容空間Ｓ１に収容される。
【００２３】
図７に示すように、保持部材１２は、板金部材をコ字状に折曲げて形成されている。ハードディスク１１は、保持部材１２における互いに対向する一対の対向板１２ａの間に配置されている。一対の対向板１２ａには、厚さ方向に貫通する取付孔が二つずつ形成されている。各取付孔にはそれぞれリング状の防振部材１３が内挿されており、各防振部材１３の内側を取付け螺子１４が貫通している。そして、この取付け螺子１４がハードディスク１１の側端面に形成された螺子孔に螺合することで、ハードディスク１１が一対の対向板１２ａに対して防振部材１３を介して弾性支持される。そうして、ハードディスク１１及び画像形成装置本体２間の双方向の振動伝達を防振部材１３によって遮断するようにしている。
【００２４】
［電装ボックスの構成］
図８及び図９に示すように、電装ボックス１００は、偏平な矩箱状の板金製ボックスであって、ボックス本体１１０と蓋部材１２０とを有している。ボックス本体１１０内の空間は、ハードディスク１１が収容されるハードディスク収容空間Ｓ１と、制御基板５が収容される基板収容空間Ｓ２とに区画されている。
【００２５】
ボックス本体１１０は、一側に開放する有底箱状部材であって例えば一枚の金属板を折り曲げて形成されている。図９に示すように、ボックス本体１１０は、矩形板状のベース板１１０ａと、ベース板１１０ａの各端縁から起立する四つの側板１１０ｂとを有している。ベース板１１０ａの上面には制御基板５が取付けられている。尚、ベース板１１０ａの下面には、電装ボックス１００を画像形成装置本体２の背面フレームに組み付ける際に使用される位置決め板１１０ｃが突設されている。
【００２６】
［電装ボックスの蓋部材の詳細］
次に、図１０及び図１１を参照して、電装ボックス１００の蓋部材１２０の構成を説明する。
【００２７】
蓋部材１２０は、ボックス本体１１０の開放端に沿った外縁形状を有する蓋本体１２１と、蓋本体１２１に取付けられた箱状隔壁１２２とを有している。蓋本体１２１は、複数の取付孔１２１ａを有していて該各取付孔１２１ａに挿通した螺子によりボックス本体１１０に固定される。
【００２８】
蓋本体１２１には、ハードディスク収容空間Ｓ１に面してハードディスク１１を出入れ可能な矩形状の開口部１２１ｂが形成されている。開口部１２１ｂの互いに対向する一対の端縁には、該開口内側に突出する矩形板状の取付座部１２１ｄが形成されている。取付座部１２１ｄは、上述したＨＤＤアッセンブリー１０の固定用に設けられている。各取付座部１２１ｄには螺子孔１２１ｈが形成されている。また、各取付座部１２１ｄが形成される一対の端縁に直交する一の端縁には、ＨＤＤアッセンブリー１０の取付座部１２１ｇが凹状に形成されている。そして、図７に示すように、ＨＤＤアッセンブリー１０は、取付座部１２１ｄ，１２１ｇによって合計三箇所で支持された状態で一対の螺子１２５により固定されている。開口部１２１ｂを塞ぐための板金カバー１２３（図８参照）には、各螺子１２５の頭部との干渉を避けるための一対の逃げ孔１２３ａが形成されている。
【００２９】
上記箱状隔壁１２２は、一側に開放する有底箱状に形成されている。箱状隔壁１２２は、その開放端が開口部１２１ｂ（図１０及び図１１参照）の端縁に略一致するように配置されている。そして、この箱状隔壁１２２によって上記ハードディスク収容空間Ｓ１と基板収容空間Ｓ２とが区画されている。
【００３０】
具体的には、箱状隔壁１２２は、矩形状のベース板１２２ａと、ベース板１２２ａの各端縁から起立する四つの側壁１２２ｂ（図１０では一つのみ示す）とを有している。図１１に示すように、四つの側壁１２２ｂの先端には、該各側壁１２２ｂに対して垂直に折れ曲がった取付フランジ１２２ｃが形成されている。各取付フランジ１２２ｃにはカシメ筒１２２ｄが二つずつ打抜き形成されている。そして、各カシメ筒１２２ｄが蓋本体１２１に形成されたカシメ孔１２１ｅ（図１０参照）を貫通した状態で潰されることで、各取付フランジ１２２ｃが蓋本体１２１にカシメ固定される。
【００３１】
箱状隔壁１２２のベース板１２２ａには挿通孔１２２ｅが形成されている。挿通孔１２２ｅには、ハードディスク１１と制御基板５とを接続する第一ケーブル１１ｂ及び第二ケーブル１１ｃが挿通される。挿通孔１２２ｅは、箱状隔壁１２２のベース板１２２ａにおける図１２の右側且つ下側に隅部に形成されている。この挿通孔１２２ｅの端縁部は、エッジが丸味を帯びるように箱内方側に１８０°折り返されている。
【００３２】
図１２に示すように、挿通孔１２２ｅは、ハードディスク収容空間Ｓ１内に収容されたハードディスク１１の下側に露出している。挿通孔１２２ｅは横方向に長い略矩形状孔からなる。制御基板５上の第一コネクター５４及び第二コネクター５５は、挿通孔１２２ｅの貫通方向（図１２の紙面垂直方向）から見たときに、該挿通孔１２２ｅの周縁の内側に位置している。そして、各コネクター５４，５５に対する相手コネクターの差込み方向は、挿通孔１２２ｅの貫通方向に一致している。
【００３３】
［作用効果］       
以上説明したように本実施形態では、画像形成装置１は、第一コネクター５４及び第二コネクター５５を有する制御基板５を収容する電装ボックス１００を有している。電装ボックス１００は、制御基板５に対して第一ケーブル１１ｂ及び第二ケーブル１１ｃを介して後付けで接続されるハードディスク１１を収容可能に構成されている。
そして、電装ボックス１００は、ハードディスク１１を出し入れするための開口部１２１ｂと、該開口部１２１ｂに面してハードディスク１１が収容されるハードディスク収容空間Ｓ１と、制御基板５が収容される基板収容空間Ｓ２と、該両空間Ｓ１，Ｓ２を区画する箱状隔壁１２２とを有している。そして、箱状隔壁１２２には、ハードディスク１１と制御基板５とを接続する第一及び第二ケーブル１１ｂ，１１ｃが挿通される挿通孔１２２ｅが形成されている。
【００３４】
この構成によれば、ハードディスク収容空間Ｓ１と基板収容空間Ｓ２とが箱状隔壁１２２によって区画されているので、作業者がハードディスク収容空間Ｓ１にハードディスク１１を追加装着する際に制御基板５に意図せず触れてしまうのを防止することができる。
【００３５】
また、本実施形態では、電装ボックス１００は、一側に開放するボックス本体１１０と、ボックス本体１１０の開放側を閉塞する蓋部材１２０とを有している。そして、上記開口部１２１ｂは蓋部材１２０に形成され、箱状隔壁１２２は蓋部材１２０に設けられている。
【００３６】
この構成によれば、箱状隔壁１２２が蓋部材１２０に設けられているので、箱状隔壁１２２を独立して別々に組付ける場合に比べて電装ボックス１００の組立て作業を容易に行うことができる。また、メンテナンス作業や故障時等に作業者が制御基板５を取り外す必要がある場合に、蓋部材１２０を取り外すことでハードディスク１１（ＨＤＤアッセンブリー１０）も同時に取り外すことができるので作業が容易になる。
【００３７】
また、本実施形態では、制御基板５に設けられた第一及び第二コネクター５４，５５は、箱状隔壁１２２のベース板１２２ａに形成された挿通孔１２２ｅの貫通方向から見て、該挿通孔１２２ｅの周縁の内側に位置している。
【００３８】
この構成によれば、ハードディスク１１の取付けを行う際に、第一及び第二ケーブル１１ｂ，１１ｃのコネクターを挿通孔１２２ｅを通じて、制御基板５上の第一及び第二コネクター５４，５５に容易に差込むことができる。しかも、この挿通孔１２２ｅは、箱状隔壁１２２の隅に小さく形成されているので、作業者の手が挿通孔１２２ｅから意図せず制御基板５に触れるのを防止することができる。
【００３９】
また、本実施形態では、制御基板５に設けられた第一及び第二コネクター５４，５５に対する相手コネクター（図示省略）の差込み方向は、挿通孔１２２ｅの貫通方向に一致している。
【００４０】
この構成によれば、制御基板５上の第一及び第二コネクター５４，５５に対する相手コネクターの抜差しをより一層容易に行うことができる。
【００４１】
《他の実施形態》
本発明は、上記実施形態について、以下のような構成としてもよい。
【００４２】
すなわち、上記実施形態では、制御基板５に設けられた第一及び第二コネクター５４，５５は、挿通孔１２２ｅの貫通方向から見て、該挿通孔１２２ｅの周縁の内側に位置しているが、これに限ったものではなく、例えば周縁の外側近傍に位置していてもよい。すなわち、第一及び第二コネクター５４，５５は、作業者が挿通孔１２２ｅを通じてアクセス可能な範囲に位置していればよい。
【００４３】
また上記実施形態では、制御基板５に二つのコネクター５４，５５を設けるようにしているが、これに限ったものでなく、三つ以上設けてもよいし、一つだけ設けてもよい。
【００４４】
また、上記実施形態では、蓋本体１２１と箱状隔壁１２２とは別部材で構成されているが、これに限ったものではなく、箱状隔壁１２２を蓋本体１２１に一体形成するようにしてもよい。
【００４５】
また、上記実施形態では、画像形成装置１がプリンターで構成されている例を説明したが、これに限ったものではない。画像形成装置１は、複写機、ファクシミリー又は複合機（ＭＦＰ）等であってもよい。
【産業上の利用可能性】
【００４６】
以上説明したように、本発明は、画像形成装置に有用であり、特にプリンター、ファクシミリー、複写機又は複合機（ＭＦＰ）等に適用する場合に有用である。
【符号の説明】
【００４７】
Ｓ１      ：ハードディスク収容空間
Ｓ２      ：基板収容空間
１        ：画像形成装置
２        ：画像形成装置本体
５        ：制御基板（電装基板）
１１      ：ハードディスク
１１ｂ    ：第一ケーブル
１１ｃ    ：第二ケーブル
５４      ：第一コネクター
５５      ：第二コネクター
１００    ：電装ボックス
１１０    ：ボックス本体
１２０    ：蓋部材
１２１ｂ  ：開口部
１２２    ：箱状隔壁（隔壁）
１２２ｅ  ：挿通孔
【図１】
2020166132.tif 000003
【図２】
2020166132.tif 000004
【図３】
2020166132.tif 000005
【図４】
2020166132.tif 000006
【図５】
2020166132.tif 000007
【図６】
2020166132.tif 000008
【図７】
2020166132.tif 000009
【図８】
2020166132.tif 000010
【図９】
2020166132.tif 000011
【図１０】
2020166132.tif 000012
【図１１】
2020166132.tif 000013
【図１２】
2020166132.tif 000014